(57)【要約】      （修正有）【課題】遺体のベッドよりストレッチャーへの移動に際して遺体の尊厳を保ち、運搬の安全性を確保する。【解決手段】遺体の安置に相等程度の布等の底面にテープ枠と交差したテープ１０と把手１１を設ける。又両下肢の広がりを防止する紐孔１４と引き出し式の枠１５を取り付け身長差を支える安全で安楽な運搬機能を設ける。又頭部・両腕・胴体・両下肢のそれぞれを被う布等３，〜６の用途に応じる着脱の手段とその布等の一部に、被いの崩れを防ぐ紐孔テープ１３及び紐等の固定手段を設け、更に遺体を両側から被う布等に胸元辺りへの斜めの裁断を施し、張りと装飾を施す襟芯を設けたこれらの一体化形成を成し、運搬化とデザイン化を設ける。【選択図】図１
2009161867.tif 000002
【特許請求の範囲】
【請求項１】
遺体の安置を相等とする適宜面を要する長方形の布等シートを設け、そのシート裏面にその遺体安置に相等とする適宜素材を要するテープ枠を設ける。まず、その枠の横となる上下２本のテープを設け、その上下横テープの間に左（右）を残して適宜本数の縦テープを設けたコの字形の枠を基盤とし、そのコの字型の左（右）縦枠の上（下）内側にテープ幅の通り道となる幅を設けた部分からを縫製等の初めとし、その枠の角とその枠の上下テープの適宜箇所にテープの折り返しを把手部とし、その枠内を各把手部に斜めの相対する把手部に向け、交差するテープ部分とからなる縫製等を施し、そのコの字型の左（右）縦枠の上（下）内側にテープ幅の通り道となる幅を設けた部分を縫製等の終わりとする一筆書きの縫製等を施したテープ枠を設ける。更に、遺体両下肢の支えとなる１本の適宜寸法を要するそのテープは、その枠一方が二重となった縫製等の初めと終わりとなるコの字型枠縦テープ内側上下に、そのテープ幅のくぐり抜けを要する縫製等を施し、そのくぐり抜け部分にそのテープ各端を通し折り返すための適宜寸法を設け、その二重となったテープの上を渡し、輪を設け縫製等を施したコの字型を要する把手部となる枠を取り付ける。これら手段を設けた枠と遺体の安置を要するシートとの一体化形を成すことにより、運搬機能を設けたことを特徴とする運搬と美を兼ね備えた遺体用袍衣。
【請求項２】
該請求項１における遺体の安置を相等とするシートの頭部側縁に、そのシートの頭部側縁の寸法と同寸の縁を設けた頭部から、胸元辺りを被う適宜面積を要する布等を設ける。又、互いに噛み合う金属などの小片を２本のテープに取り付け開閉と解放が自由となるファスナーの一方のテープ面を、そのシート頭部側の縁に取り付け更に、もう一方のテープ面を頭部から胸元辺りを被う布等の相対する縁に取り付け、そのファスナーの噛み合い時それらは１枚のシート用となり、ファスナーの開放時それらは２枚のシートとなる取り付け手段を設けた、頭部から胸元辺りを専用に被う１枚目の布等を設ける。次に該請求項１におけるそのシートの両側に、そのシートの肩辺りから足元辺りの縁の寸法と同寸の縁を設けた肩辺りから、足元辺りの左右側面からその上面を被う、適宜面積を要する布等をそれぞれ設ける。そのシートの肩辺りから下下肢辺りまでの片面にそのファスナーの一方のテープ面を取り付け、もう一方のテープ面をその上面を被う布等の相対する片面にそれぞれ同様に取り付けることで、それぞれのファスナーの噛み合い時、それらは下肢辺りから足元へ向けて開放となる１枚のシート用となり、又それぞれのファスナーの開放時それらは３枚のシートとなる取り付け手段をもうけた、肩辺りから足元辺りを専用に被う２枚目と３枚目の布等を設ける。次に該請求項１におけるそのシート足元側の縁に、そのシート足元側縁の寸法と同寸の縁を設けた足元から両下肢辺りを被う適宜面積を要する布等を設ける。そのシート足元側縁にファスナー一方のテープ面を取り付け、もう一方のテープ面を足元から両下肢辺りを被う布等の相対する片面に取り付ける。そのファスナーの噛み合い時、それらは１枚のシートとなり、そのファスナーの開放時それらは２枚のシートとなる取り付け手段を設けた、足元から両下肢辺りを専用に被う４枚目の布等を設ける。又その肩辺りから左右より上面を被う左右襟元の縁及び、その肩辺りから胸元辺りまでの襟元を斜めに裁断を施し、その縁に適宜素材を要する適宜襟芯等を施し、遺体と遺体を被う布等のデザイン化の手段を設ける。これら４枚の布等とシートとの一体化形成を成しシートと被う布等の用途に応じた着脱を自由にしたことを特徴とする運搬と美を兼ね備えた遺体用袍衣。
【請求項３】
該請求項１におけるシートと該請求項２における１枚目・２枚目・３枚目の布等の適宜一端に遺体を被う、それぞれの布等の崩れを防止する縫製等を施した紐等の固定手段を適宜設ける。又適宜素材と適宜幅を要する布等に、適宜等間隔・等幅に対の適宜線状等を設け、その適宜線状等に紐等を通すための適宜切り込みを施し、その縁を糸等でかがったり布等で縁取った紐孔の手段を施し適宜デザイン化を設けたそのテープを、該請求項１におけるシート裏面に遺体の両下肢を挟み相対する適宜箇所から足元辺りの適宜箇所にそれぞれ縫製等を施し設ける。そのテープを該請求項２における４枚目の布等裏面にシートと相対する箇所に縫製等を施し、その布等にテープの紐孔と同箇所に同切込みを施し、その布等切り込み箇所とテープの切り込み箇所を共に糸等でかがったり、布等で縁取った紐孔を施す。そのテープの紐孔は、該請求項１におけるシートの足元ファスナー部と該請求項２における４枚の布等ファスナー部とを噛み合わせたその布等が遺体の足元を基点に足元を被い、その遺体の両下肢へ折り返し、そのテープが共に重なりそれぞれの紐孔を一体とし、身長差のあるそれぞれ遺体の足元を、その布等が折り返すことで、一体となる紐孔の位置を選び、紐等を通し、結ぶ・縛る等の固定を施すことで両下肢の広がりを防止し、遺体の身長差による足元の被いを自由に調節できる手段を設けた紐孔を施したテープとそのシートと被う布等と一体化形成を成し、紐孔による固定手段を設けたことを特徴とする運搬と美を兼ね備えた遺体用袍衣。
【発明の詳細な説明】
【技術分野】
【０００１】
本発明は遺体を被う物品に関するものであり、その物品の形状に工夫を加えることによって、布等に遺体の平行移動と運搬の機能と遺体及び袍衣の美を設けるようにしたものである。
【背景技術】
【０００２】
従来、遺体を被う布等に、遺体とその布等に美のデザイン化が施され、その裏面に運搬機能の一体化形成を設けた遺体を被う物品はなく、病院内での遺体の移動には主にバスタオルが利用されている。遺体が棺に安置されるまでの業者における遺体の移動時及び運搬においては、一枚の白い布等にすっぽり包み込まれ、遺体が遺体と映る非情な様子を呈する包み方がなされ、不安定で運びづらく移動及び運搬に異物化された違和感を覚える。更に運搬時における遺体の平行移動は困難をきたし、転落をも招く恐れがあり、遺体の痛みや損傷は免れず、遺体の状態によっては汚物の突出による汚染は余儀なくされている。又整えられた衣装は移動及び運搬時に着崩れを伴い、処置を必要とするための空間も奪われ、時間的労作的負担が加わっている。
【発明の開示】
【発明が解決しようとする課題】
【０００３】
従来のようなバスタオル等及び一枚の白い布等に包み込まれての遺体の平行移動は、遺体の安定確保に困難をきたし、転落の危険を伴い、その場しのぎ的な手技である。また、納棺への平行移動及び運搬に美的感覚は全くなく、さらに、遺体への尊厳は皆無と映る。遺体は異物化され粗末化されている。本発明は、このような不都合を払拭し解決することを課題とする。
【課題を解決するための手段】
【０００４】
該請求項１において、本発明は適宜素材を要する遺体の安置を相当とする長方形の布等シートの裏面に適宜素材の幅と長さを要するテープを設け、そのテープは把手部となる運搬機能と力学的エネルギーの作用を成す交差するテープを適宜箇所に設けた遺体に相等となるテープ枠を施し、更にそのテープ枠に遺体の身長差による両下肢の支えとなる引出式の手段を設けたコの字型を要する把手となる枠を取り付ける。
【０００５】
該請求項２において、本発明は該請求項１におけるシートの各側面にファスナーの一方を取り付け、更に相対する該請求項２における被い布等の適宜位置に片一方のファスナーを取り付けることで、被い布等の用途に応じるための取り付けと取り外しを可能とし、遺体の平行移動と運搬の目的を自由とする。
【０００６】
該請求項３において、本発明は該請求項１と該請求項２における本体に、被い布等の襟元を適宜斜めに裁断を施し、襟芯を施すことで、布等の選択及び装飾品等による袍衣のデザイン化を自由とする。本発明は以上の構成よりなる、運搬と美を兼ね備えた遺体用袍衣である。
【発明の効果】
【０００７】
本発明により、遺体の平行移動及び運搬時の遺体の異物化や粗末化された非情な扱いが、一故人の人間として尊厳を取り戻すことができる。さらに、遺体を取り扱う者に対しても、人間性を取り戻すことができる。そして遺族へのさらなる安らぎを与えるのに役立つことができる。
【発明を実施するための最良の形態】
【０００８】
図１は、該請求項１の運搬と美を兼ね備えた遺体用袍衣の底面図である。同図に示すように、力学的エネルギーの作用を成す斜めの交差したテープを設けることで運搬の強度を増し、又把手を設けたテープの枠を遺体の安置を相等とする長方形のシートの裏面に一体化形成する。更にその枠の引き出し式のコの字型を要する枠を取り付ける。そのコの字型を要する枠は持ち部を選ぶ把手となり遺体の身長差による両下肢の支えとなる。これらにより、遺体の安定した安全で安楽な、平行移動と運搬を確保・獲得することができる。
【０００９】
図２は、該請求項２の運搬と美を兼ね備えた遺体用袍衣の平面図である。同図に示すように遺体が安置されるシートの各側面に遺体の頭部・両腕・胴体・両下肢を被う布等をそれぞれ設け、各布等の適宜部分に紐等の固定部を設けることで袍衣の崩れを防止し、更に遺体の両腕・胴体を被う胸元の一端に装飾を可能とする襟芯を設け、オプションで選ばれた装飾品等による遺体は袍衣のデザイン化を設けることで更なる美を得ることができ、納棺されるまでの遺体の平行移動及び運搬における遺体の異物化や粗末化された非情な様子を防止し納棺できる。又一故人としての尊厳を取り戻すことができ、更に遺体を取り扱う者に対しても、故人を尊ぶ心を取り戻させ遺族に対しても更なる安らぎを与えることができる。
【００１０】
図３は、該請求項１の運搬と美を兼ね備えた遺体用袍衣の平面図である。同図に示すように遺体が安置されるシートの各側面の縁にファスナーの一方を施し、遺体を被う各布等の縁にもう一方のファスナーを施し、それぞれのファスナーの開閉による着脱を自由とすることで、遺体を被う目的に応じ被う布等を選ぶことができる。
【００１１】
図４は、該請求項１の運搬と美を兼ね備えた遺体用袍衣における該請求項３の紐孔を施したテープの平面図である。同図に示すように適宜等間隔・等幅に適宜対の線上等を設け、その線上等に紐等を通すための適宜切り込み等を施し、その縁を糸等でかがったり布等で縁取った紐孔の手段を施したテープを該請求項１のシートと該請求項２の足下を被う布等にそれぞれのテープが一対となるように両下肢の両側に施し、上下一対となる紐孔に紐等を通し結ぶ・縛る等の固定を施すことで、両下肢の広がりを防ぐことができる。
【００１２】
図５、図６、図７、図８、は該請求項１の運搬と美を兼ね備えた遺体用袍衣のシート裏面に施されたテープ枠の構成を示した平面図である。同図に示すように図４から図８における構成順に縫製等を施すことで、遺体を運搬するテープ枠となることができる。
【００１３】
図９は、該請求項１の運搬と美を兼ね備えた遺体用袍衣のシート裏面に施されたテープ枠の把手部の構成を示した平面図である。同図に示すように把手部の折り返しの手段を施し、一筆書きのテープの縫製等を施すことで遺体を運搬するテープの把手部となることができる。図１０は該請求項１の運搬と美を兼ね備えた遺体用袍衣のシート裏面に施されたテープ枠の足元に施されたコの字型テープ枠の構成を示した斜視図である。同図に示すようにテープの構成を施した縫製等を施すことで、遺体の身長差における両下肢を支える遺体を運搬するテープ枠となることができる。
【００１４】
本発明に係る袍衣は以上の実施形体に限定されるものではなく、本物品の取り付け・付属・色・文字等の形状・形態・素材等を適宜設計変更及び選択できるものである。
【産業上の利用可能性】
【００１５】
本発明に係る袍衣は、工業的に量産することが可能であるため、産業上の利用可能性を有する。又適宜設計及び素材の変更により、利用目的が多才となる。例、看護・介護入浴時の移動用シート・体位変換用シート・患者の移動用シート等、関連意匠を提供することが可能である。
【図面の簡単な説明】
【００１６】
【図１】本発明の運搬と美を兼ね備えた遺体用袍衣を示す底面図である。
【図２】本発明の運搬と美を兼ね備えた遺体用袍衣を示す平面図である。
【図３】本発明のシート部と被い布等のファスナーが開放された遺体用袍衣を示す平面図である。
【図４】紐孔テープの平面図である。
【図５】本発明の運搬と美を兼ね備えた遺体用袍衣の裏面に施されたテープ枠の構成を示した平面図である。
【図６】本発明の運搬と美を兼ね備えた遺体用袍衣の裏面に施されたテープ枠の構成を示した平面図である。
【図７】本発明の運搬と美を兼ね備えた遺体用袍衣の裏面に施されたテープ枠の構成を示した平面図である。
【図８】本発明の運搬と美を兼ね備えた遺体用袍衣の裏面に施されたテープ枠の構成を示した平面図である。
【図９】概請求項１の運搬と美を兼ね備えた遺体用袍衣のシート裏面に施されたテープ枠の把手部の構成を示した平面図である。
【図１０】概請求項１の運搬と美を兼ね備えた遺体用方位のシート裏面施された足下のテープ枠の構成を示した斜視図である。
【符号の説明】
【００１７】
１  運搬と美を兼ね備えた遺体用袍衣のシート
２  遺体の安置場シート
３  頭部を被う布等
４  両下肢を被う布等
５  胴体を左側より被う布等
６  胴体を右側より被う布等
７  襟元部
８  襟芯部
９  紐等の装着部
１０  テープ
１１  把手部
１２  ファスナー部
１３  紐孔テープ
１４  紐孔
１５  コの字型様枠
【図１】
2009161867.tif 000003
【図２】
2009161867.tif 000004
【図３】
2009161867.tif 000005
【図４】
2009161867.tif 000006
【図５】
2009161867.tif 000007
【図６】
2009161867.tif 000008
【図７】
2009161867.tif 000009
【図８】
2009161867.tif 000010
【図９】
2009161867.tif 000011
【図１０】
2009161867.tif 000012